(57)【特許請求の範囲】
【請求項１】
モータを収容したハウジングの側面に、前記モータの冷却用空気の排気口を形成すると共に、前記排気口の近傍に、操作用のグリップをねじ込み装着した電動工具であって、
前記ハウジングとグリップとの間に、前記グリップのねじ込み装着によって前記ハウジングとグリップとの間で挟持固定され、その挟持固定状態で前記排気口からの前記冷却用空気の吹き出し方向前方に位置して前記グリップ側への前記冷却用空気の吹き出しを阻止可能な防風板を設け、その防風板における被挟持部分に、前記グリップのネジ部を中心とした所定の回転位置で前記ハウジングの側面に当接して前記防風板の回転を規制可能な円弧状のリブを立設したことを特徴とする電動工具。
【請求項２】
ハウジングの側面にグリップ装着用のネジ孔を複数箇所形成して前記グリップの装着位置を選択可能としたものにおいては、防風板を、前記グリップの何れの装着位置でも前記グリップ側への冷却用空気の吹き出しを阻止する姿勢で挟持固定可能とした請求項１に記載の電動工具。
【発明の詳細な説明】
【０００１】
【発明の属する技術分野】
本発明は、モータを収容したハウジングの側面に、モータの冷却用空気の排気口を形成したポリッシャやサンダ等の電動工具に関する。
【０００２】
【従来の技術】
ポリッシャやサンダ等の電動工具においては、ハウジングに収容したモータの出力軸に冷却用ファンを固着し、モータの駆動に伴う冷却用ファンの回転で、ハウジングに設けた吸気口から冷却用空気を取り込み、ハウジング内を通過させて同じくハウジングの側面に設けた排気口から排気することで、モータの冷却が可能となっている。
一方、上記電動工具においては、当該工具の操作用に、ハウジングの側方にグリップを装着したものがある。よって、グリップの装着位置が排気口の近傍にあると、モータの冷却によって温度上昇した冷却用空気がグリップを把持する手に当たり、不快感を生じさせてしまう。そこで、冷却用空気が手に当たらないように、排気口の一部を閉塞部材で閉塞したり（例えば実開昭５２−１２５７８４号公報や実用新案登録第２５１６１９４号掲載公報等）、ハウジングに排気の方向を変える案内部材を、ネジや係止構造、或いは単に弾性を利用して設けたり（例えば実開昭５２−１２５７８６号公報や実開昭５５−５５３７９号公報等）する技術等が採用されている。
【０００３】
【発明が解決しようとする課題】
前者の排気口を閉塞する構造は、冷却用空気による不快感の発生は防止される反面、排気口の開口面積が減少することでモータの冷却効果が低下してしまう。又、後者の案内部材を設けるものは、ハウジングに取り付けるための構造が別途必要となってコストアップに繋がり、ハウジングに弾性的に外装させるものでは位置ズレや脱却のおそれが生じて信頼性に欠ける。
【０００４】
そこで、請求項１に記載の発明は、冷却用空気の吹き出しによる不快感の発生を、冷却作用に影響を与えることなく、簡単な構造で確実に防止できる電動工具を提供することを目的としたものである。
【０００５】
【課題を解決するための手段】
上記目的を達成するために、請求項１に記載の発明は、ハウジングとグリップとの間に、グリップのねじ込み装着によってハウジングとグリップとの間で挟持固定され、その挟持固定状態で排気口からの冷却用空気の吹き出し方向前方に位置してグリップ側への冷却用空気の吹き出しを阻止可能な防風板を設け、その防風板における被挟持部分に、グリップのネジ部を中心とした所定の回転位置でハウジングの側面に当接して防風板の回転を規制可能な円弧状のリブを立設したことを特徴とするものである。
請求項２に記載の発明は、請求項１の目的に加えて、ハウジングの側面にグリップの装着用のネジ孔を複数箇所形成してグリップの装着位置を選択可能としたものにおいて、構成の合理化を図るために、防風板を、グリップの何れの装着位置でもグリップ側への冷却用空気の吹き出しを阻止する姿勢で挟持固定可能としたものである。
【０００６】
【発明の実施の形態】
以下、本発明の実施の形態を図面に基づいて説明する。
図１は、ポリッシャの分解斜視図で、ポリッシャ１は、図示しないモータを収容した筒状のハウジング２の下方に、モータの駆動で回転するスピンドルを突出し、スピンドルの先端に円盤状のパッド３を装着してなる。又、ハウジング２の一側面には、ハンドル４が直交状に延設されている。
更に、ハウジング２におけるパッド３と反対側の端面には、冷却用空気の吸気口５，５・・が形成される一方、ハウジング２におけるパッド３寄りで、ハンドル４を挟んだ左右の両側面には、図２にも示すように、冷却用空気の排気口６，６・・が左右対称に形成されている。この排気口６，６・・は、モータの出力軸に固着された冷却用ファンの外周位置にあって、モータの駆動に伴って冷却用ファンが回転すると、吸気口５，５・・から吸い込まれた冷却用空気がハウジング２内を通過してモータを冷却した後の出口となるものである。
【０００７】
そして、ハウジング２の両側面で排気口６，６・・とパッド３との間には、ネジ孔７，７を形成したボス８，８が突設され、そのボス８，８にグリップ９が装着可能となっている。このグリップ９は、ネジ孔７に螺合可能なネジ部１０と、そのネジ部１０と同軸のグリップ部１１とを有し、ネジ部１０をネジ孔７，７の何れか一方にねじ込むことで、グリップ部１１がハウジング２の側面からハンドル４と直交状に装着される。尚、このようにボス８，８の一方を選択して何れかにグリップ９を装着可能としたのは、作業者の利き手や使用状況等の使い勝手を考慮したものである。
【０００８】
但し、ここでは、ハウジング２のボス８とグリップ部１１との間に、防風板１２が介在されている。この防風板１２は、当該側面側の排気口６，６・・を全面に亘ってカバー可能なカバー部１３と、そのカバー部１３の端部に連設され、透孔１５を備えた取付部１４とからなるＬ字状の偏平な板体で、カバー部１３が排気口６，６・・の吹き出し方向前方へ位置する姿勢で、グリップ９のネジ部１０を透孔１５に貫通させてネジ孔７にねじ込むことで、図２，３のように、取付部１４がボス８とグリップ部１１との間で狭持固定される。この状態で、カバー部１３が排気口６，６・・の吹き出し方向前方へ隙間を隔ててグリップ９と直交状に立設するものとなる。又、取付部１４には、透孔１５と同心で円弧状のリブ１６，１６が左右両面で略対称に立設されている。
【０００９】
以上の如く構成されたポリッシャ１においては、研磨作業を行う場合、ハンドル４とグリップ９とを把持してポリッシャ１を操作する。ここで、モータ駆動に伴い、前述のように排気口６，６・・から冷却用空気が吹き出しても、図２に点線矢印で示す如く、防風板１２のカバー部１３に当接してその上下又は左右方向の何れかへ分かれ、グリップ９側への吹き出しは防止されるから、作業者の手に冷却用空気が当たることがなく、不快感は生じない。
そして、グリップ９をハウジング２の反対側のボス８にねじ込み装着する場合も、図４に示すように、防風板１２をそのまま反対側に平行移動させて同様にボス８とグリップ部１１との間で挟持固定できる。よって、当該側での排気口６，６・・から吹き出される冷却用空気がカバー部１３で遮られ、作業者の手に当たることがない。
【００１０】
尚、グリップ９の付け替え等に伴ってグリップ部１１を緩めると、ハウジング２との間で挟持されていた防風板１２がカバー部１３の重みで当該側へ回転するが、リブ１６の端部がハウジング２の膨出した側面に当接して、図３で示す二点鎖線の位置で防風板１２の回転を規制するため、防風板１２が回転し過ぎてパッド３を傷付けたりするおそれがなくなる。
【００１１】
このように上記形態のポリッシャ１によれば、ハウジング２とグリップ９との間に、グリップ９のねじ込み装着によってハウジング２との間で挟持固定され、その挟持固定状態で排気口６，６・・からの冷却用空気の吹き出し方向前方に位置する防風板１２を設けたことで、冷却用空気の吹き出しによる不快感の発生を確実に防止できる。又、元々あるグリップ９の装着構造を利用して、グリップ９のねじ込み装着と同時に防風板１２が挟持固定される合理的な構造となるため、ハウジング２やグリップ９に何等形状変更が生じず、コストも少なくて済む。勿論排気口６，６・・の開口はそのまま維持されるから、モータの冷却作用に影響を与えることもない。
そして、ここでは、ハウジング２の左右の側面にネジ孔７，７を形成してグリップ９の装着位置を選択可能としたものにおいて、防風板１２を、グリップ９の左右何れの装着位置でもグリップ９側への冷却用空気の吹き出しを阻止する姿勢で挟持固定可能としているから、グリップ９の装着位置にかかわらず同じ防風板１２を使用して構成の合理化を図ることができる。
【００１２】
尚、防風板の形状は、上記形態に限らず、排気口の配置や開口面積に合わせて扇状や円盤状等適宜設計変更可能で、更にグリップと完全に別体とせずに、グリップのネジ部に回動可能な状態で装着したものであっても差し支えない。
又、上記形態では、防風板に設けた透孔にグリップのネジ部を遊挿させているが、透孔に代えて切欠きとする等、ハウジングとグリップとの間で挟持固定可能であれば、防風板側の被挟持部分の形態も設計変更可能である。但し、上記形態のような透孔とすれば、防風板の位置決めが楽で、着脱時に脱落のおそれもなくて好ましい。
そして、本発明は、ポリッシャやサンダ等に限らず、ハウジングの側面に設けた排気口の近傍にグリップを装着するものであれば、電動ハンマーやハンマードリル等の他の電動工具にも採用可能である。
【００１３】
【発明の効果】
請求項１に記載の発明によれば、ハウジングとグリップとの間で挟持固定される防風板により、冷却用空気の吹き出しによる不快感の発生を確実に防止できる。又、元々あるグリップの装着構造を利用して、グリップのねじ込み装着と同時に防風板が挟持固定される合理的な構造となるため、ハウジングやグリップに何等形状変更が生じず、コストも少なくて済む。勿論排気口の開口はそのまま維持されるから、モータの冷却作用に影響を与えることもない。
特にここでは、防風板に、所定の回転位置でハウジングの側面に当接して防風板の回転を規制するリブを設けたことで、グリップを緩めた際に防風板が回転し過ぎてパッド等を傷付けたりするおそれがなくなる。
請求項２に記載の発明によれば、請求項１の効果に加えて、ハウジングの側面にグリップの装着用のネジ孔を複数箇所形成してグリップの装着位置を選択可能としたものにおいては、防風板を、グリップの何れの装着位置でもグリップ側への冷却用空気の吹き出しを阻止する姿勢で挟持固定可能としたことで、グリップの装着位置にかかわらず同じ防風板を使用して構成の合理化を図ることができる。
【図面の簡単な説明】
【図１】ポリッシャの分解斜視図である。
【図２】グリップを装着したポリッシャの正面説明図である。
【図３】グリップを装着したポリッシャの側面説明図である。
【図４】グリップを反対側へ装着したポリッシャの正面説明図である。
【符号の説明】
１・・ポリッシャ、２・・ハウジング、５・・吸気口、６・・排気口、７・・ネジ孔、９・・グリップ、１０・・ネジ部、１１・・グリップ部、１２・・防風板、１３・・カバー部、１４・・取付部、１５・・透孔。
【図１】
0003923751.tif 000002
【図２】
0003923751.tif 000003
【図３】
0003923751.tif 000004
【図４】
0003923751.tif 000005